(57)【要約】【課題】更に数品の商品を購入していれば受けられる特典をユーザが見逃してしまう可能性を低減させることのできる商品購入支援装置等を提供する。【解決手段】商品の購入時に受けられる特典、特典の適用に必要な特典適用条件、および特典適用条件が満足されるまでの過程で満足される過程条件を、特典情報として特典ごとに保持し、ユーザが選択した商品に関する選択商品情報に基づいて、過程条件が満足され、且つ、特典適用条件が満足されないと判定した場合に、特典適用条件をユーザに提示する。【選択図】図７
2012014404.tif 000002
【特許請求の範囲】
【請求項１】
ユーザが端末を用いて商品を購入する際の支援を行う商品購入支援装置であって、
前記ユーザが選択した商品に関する選択商品情報を記憶する記憶手段と、
前記商品の購入時に受けられる特典、前記特典の適用に必要な特典適用条件、および前記特典適用条件が満足されるまでの過程で満足される過程条件を、特典情報として前記特典ごとに保持する特典情報保持手段と、
前記記憶手段によって記憶された前記選択商品情報に基づいて、前記特典適用条件と前記過程条件とがそれぞれ満足されるか否かを判定する判定手段と、
前記判定手段において、前記過程条件が満足され、且つ、前記特典適用条件が満足されないと判定された場合に、前記特典適用条件を前記ユーザに提示するための提示情報を前記端末に提供する提供手段と、
を備えることを特徴とする商品購入支援装置。
【請求項２】
請求項１に記載の商品購入支援装置であって、
前記選択商品情報は、前記ユーザが購入するために選択した商品に関する選択商品情報を含み、
前記提供手段は、前記購入が完了する前に、前記提示情報を前記端末に提供することを特徴とする商品購入支援装置。
【請求項３】
請求項１又は２に記載の商品購入支援装置であって、
前記選択商品情報は、前記ユーザが購入した商品に関する履歴情報を含み、
前記判定手段は、前記履歴情報に基づいて、判定することを特徴とする商品購入支援装置。
【請求項４】
請求項３に記載の商品購入支援装置であって、
前記特典情報保持手段は、前記特典ごとに、前記特典が適用される適用期間をさらに保持し、
前記判定手段は、前記適用期間内に前記ユーザが購入した商品に関する履歴情報に基づいて判定することを特徴とする商品購入支援装置。
【請求項５】
請求項３又は４に記載の商品購入支援装置であって、
前記特典適用条件および前記過程条件は、少なくとも購入商品の合計金額に関する条件が設定されており、
前記過程条件における前記購入商品の合計金額に関する条件は、前記特典適用条件および前記ユーザの前記履歴情報に基づいて設定されることを特徴とする商品購入支援装置。
【請求項６】
請求項３又は４に記載の商品購入支援装置であって、
前記特典適用条件は、予め定められた複数種類の特定商品を全種類購入することであって、
前記過程条件は、前記予め定められた複数種類の特定商品のうち少なくとも一部の種類の特定商品が前記ユーザに購入する商品として選択されており、且つ、その他の種類の特定商品が、前記履歴情報に基づいて導出される前記ユーザが購入したことのある商品と一致していること、であることを特徴とする商品購入支援装置。
【請求項７】
請求項１乃至６の何れか一項に記載の商品購入支援装置であって、
前記提供手段は、前記提示情報を提供後に前記特典適用条件が満足されると判定された場合、前記特典適用条件を前記ユーザに提示するための提示情報を前記端末に提供しないことを特徴とする商品購入支援装置。
【請求項８】
ユーザが端末を用いて商品を購入する際の支援を行う商品購入支援装置に含まれるコンピュータにより実行される商品購入支援方法であって、
前記ユーザが選択した商品に関する選択商品情報を記憶するステップと、
前記商品の購入時に受けられる特典、前記特典の適用に必要な特典適用条件、および前記特典適用条件が満足されるまでの過程で満足される過程条件を、特典情報として前記特典ごとに保持するステップと、
前記記憶手段によって記憶された前記選択商品情報に基づいて、前記特典適用条件と前記過程条件とがそれぞれ満足されるか否かを判定するステップと、
前記判定手段において、前記過程条件が満足され、且つ、前記特典適用条件が満足されないと判定された場合に、前記特典適用条件を前記ユーザに提示するための提示情報を前記端末に提供するステップと、
を含むことを特徴とする商品購入支援方法。
【請求項９】
ユーザが端末を用いて商品を購入する際の支援を行う商品購入支援装置に含まれるコンピュータを、
前記ユーザが選択した商品に関する選択商品情報を記憶する記憶手段、
前記商品の購入時に受けられる特典、前記特典の適用に必要な特典適用条件、および前記特典適用条件が満足されるまでの過程で満足される過程条件を、特典情報として前記特典ごとに保持する特典情報保持手段、
前記記憶手段によって記憶された前記選択商品情報に基づいて、前記特典適用条件と前記過程条件とがそれぞれ満足されるか否かを判定する判定手段、
前記判定手段において、前記過程条件が満足され、且つ、前記特典適用条件が満足されないと判定された場合に、前記特典適用条件を前記ユーザに提示するための提示情報を前記端末に提供する提供手段、
として機能させることを特徴とする商品購入支援プログラム。
【請求項１０】
ユーザが端末を用いて商品を購入する際の支援を行う商品購入支援装置に含まれるコンピュータを、
前記ユーザが選択した商品に関する選択商品情報を記憶する記憶手段、
前記商品の購入時に受けられる特典、前記特典の適用に必要な特典適用条件、および前記特典適用条件が満足されるまでの過程で満足される過程条件を、特典情報として前記特典ごとに保持する特典情報保持手段、
前記記憶手段によって記憶された前記選択商品情報に基づいて、前記特典適用条件と前記過程条件とがそれぞれ満足されるか否かを判定する判定手段、
前記判定手段において、前記過程条件が満足され、且つ、前記特典適用条件が満足されないと判定された場合に、前記特典適用条件を前記ユーザに提示するための提示情報を前記端末に提供する提供手段、
として機能させる商品購入支援プログラムを記録したコンピュータ読み取り可能な記録媒体。
【発明の詳細な説明】
【技術分野】
【０００１】
本発明は、インターネット等のネットワークを利用した電子商取引の技術分野に関する。
【背景技術】
【０００２】
従来、インターネット等のネットワークを介して商品を購入できるネットショッピングが普及している。ネットショッピングで商品を購入しようとするユーザは、ユーザ端末からショッピングサイトへアクセスし、ショッピングサイトで販売されている商品の中から所望の商品を選択し、注文手続きを経ることによって、選択した商品を購入できるようになっている（例えば、特許文献１参照）。
【０００３】
また、特定商品や特定サービスを購入したユーザに対して、キャンペーンを実施することは一般的に行われている（例えば、特許文献２参照）。キャンペーンの例としては、商品の購入額が所定額を超えた場合に、当該商品の送料を無料とする特典を付与すること等がある。このような特典にはユーザの購買意欲を高める効果がある。
【先行技術文献】
【特許文献】
【０００４】
【特許文献１】特開２００２−２３６６９４号公報
【特許文献２】特開２００９−１６３５５０号公報
【発明の概要】
【発明が解決しようとする課題】
【０００５】
しかしながら、従来のネットショッピングにおいては、特典が存在することにユーザが気付かないまま商品を購入した場合、商品購入時に受けられる可能性のあった特典を受けられなかった結果あとになって悔やむ場合がある。例えば、ユーザが商品の購入手続を完了した後に、更に数品の商品を購入していれば特典を受けられたことに気付いた場合などには、ユーザは後悔することがある。
【０００６】
本発明は以上の点に鑑みてなされたものであり、更に数品の商品を購入していれば受けられる特典をユーザが見逃してしまう可能性を低減させることのできる商品購入支援装置等を提供することを目的とする。
【課題を解決するための手段】
【０００７】
上記課題を解決するために、請求項１に記載の発明は、ユーザが端末を用いて商品を購入する際の支援を行う商品購入支援装置であって、前記ユーザが選択した商品に関する選択商品情報を記憶する記憶手段と、前記商品の購入時に受けられる特典、前記特典の適用に必要な特典適用条件、および前記特典適用条件が満足されるまでの過程で満足される過程条件を、特典情報として前記特典ごとに保持する特典情報保持手段と、前記記憶手段によって記憶された前記選択商品情報に基づいて、前記特典適用条件と前記過程条件とがそれぞれ満足されるか否かを判定する判定手段と、前記判定手段において、前記過程条件が満足され、且つ、前記特典適用条件が満足されないと判定された場合に、前記特典適用条件を前記ユーザに提示するための提示情報を前記端末に提供する提供手段と、を備えることを特徴とする。
【０００８】
請求項２に記載の発明は、請求項１に記載の商品購入支援装置であって、前記選択商品情報は、前記ユーザが購入するために選択した商品に関する選択商品情報を含み、前記提供手段は、前記購入が完了する前に、前記提示情報を前記端末に提供することを特徴とする。
【０００９】
請求項３に記載の発明は、請求項１又は２に記載の商品購入支援装置であって、前記選択商品情報は、前記ユーザが購入した商品に関する履歴情報を含み、前記判定手段は、前記履歴情報に基づいて、判定することを特徴とする。
【００１０】
請求項４に記載の発明は、請求項３に記載の商品購入支援装置であって、前記特典情報保持手段は、前記特典ごとに、前記特典が適用される適用期間をさらに保持し、前記判定手段は、前記適用期間内に前記ユーザが購入した商品に関する履歴情報に基づいて判定することを特徴とする。
【００１１】
請求項５に記載の発明は、請求項３又は４に記載の商品購入支援装置であって、前記特典適用条件および前記過程条件は、少なくとも購入商品の合計金額に関する条件が設定されており、前記過程条件における前記購入商品の合計金額に関する条件は、前記特典適用条件および前記ユーザの前記履歴情報に基づいて設定されることを特徴とする。
【００１２】
請求項６に記載の発明は、請求項３又は４に記載の商品購入支援装置であって、前記特典適用条件は、予め定められた複数種類の特定商品を全種類購入することであって、前記過程条件は、前記予め定められた複数種類の特定商品のうち少なくとも一部の種類の特定商品が前記ユーザに購入する商品として選択されており、且つ、その他の種類の特定商品が、前記履歴情報に基づいて導出される前記ユーザが購入したことのある商品と一致していること、であることを特徴とする。
【００１３】
請求項７に記載の発明は、請求項１乃至６の何れか一項に記載の商品購入支援装置であって、前記提供手段は、前記提示情報を提供後に前記特典適用条件が満足されると判定された場合、前記特典適用条件を前記ユーザに提示するための提示情報を前記端末に提供しないことを特徴とする。
【００１４】
請求項８に記載の発明は、ユーザが端末を用いて商品を購入する際の支援を行う商品購入支援装置に含まれるコンピュータにより実行される商品購入支援方法であって、前記ユーザが選択した商品に関する選択商品情報を記憶するステップと、前記商品の購入時に受けられる特典、前記特典の適用に必要な特典適用条件、および前記特典適用条件が満足されるまでの過程で満足される過程条件を、特典情報として前記特典ごとに保持するステップと、前記記憶手段によって記憶された前記選択商品情報に基づいて、前記特典適用条件と前記過程条件とがそれぞれ満足されるか否かを判定するステップと、前記判定手段において、前記過程条件が満足され、且つ、前記特典適用条件が満足されないと判定された場合に、前記特典適用条件を前記ユーザに提示するための提示情報を前記端末に提供するステップと、を含むことを特徴とする。
【００１５】
請求項９に記載の発明は、ユーザが端末を用いて商品を購入する際の支援を行う商品購入支援装置に含まれるコンピュータを、前記ユーザが選択した商品に関する選択商品情報を記憶する記憶手段、前記商品の購入時に受けられる特典、前記特典の適用に必要な特典適用条件、および前記特典適用条件が満足されるまでの過程で満足される過程条件を、特典情報として前記特典ごとに保持する特典情報保持手段、前記記憶手段によって記憶された前記選択商品情報に基づいて、前記特典適用条件と前記過程条件とがそれぞれ満足されるか否かを判定する判定手段、前記判定手段において、前記過程条件が満足され、且つ、前記特典適用条件が満足されないと判定された場合に、前記特典適用条件を前記ユーザに提示するための提示情報を前記端末に提供する提供手段、として機能させることを特徴とする商品購入支援プログラムである。
【００１６】
請求項１０に記載の発明は、ユーザが端末を用いて商品を購入する際の支援を行う商品購入支援装置に含まれるコンピュータを、前記ユーザが選択した商品に関する選択商品情報を記憶する記憶手段、前記商品の購入時に受けられる特典、前記特典の適用に必要な特典適用条件、および前記特典適用条件が満足されるまでの過程で満足される過程条件を、特典情報として前記特典ごとに保持する特典情報保持手段、前記記憶手段によって記憶された前記選択商品情報に基づいて、前記特典適用条件と前記過程条件とがそれぞれ満足されるか否かを判定する判定手段、前記判定手段において、前記過程条件が満足され、且つ、前記特典適用条件が満足されないと判定された場合に、前記特典適用条件を前記ユーザに提示するための提示情報を前記端末に提供する提供手段、として機能させる商品購入支援プログラムを記録したコンピュータ読み取り可能な記録媒体である。
【発明の効果】
【００１７】
本発明によれば、ユーザが更に数品の商品を購入することで適用される特典が存在する場合に、その適用条件をユーザに把握させることができることから、ユーザが当該特典を見逃してしまう可能性を低減させることができるとともに、当該特典が適用された場合のユーザの満足度を高めることができる。更に、特典適用条件を満足させようとユーザが商品を購入することから、商品を販売する店舗の売り上げを向上させることができる。
【図面の簡単な説明】
【００１８】
【図１】ショッピングシステムの概要構成の一例を示す図である。
【図２】ショッピングサーバの概要構成の一例を示すブロック図である。
【図３】各種データベースに登録される内容の一例を示す図である。
【図４】特典ＤＢに登録される情報の具体例を示す図である。
【図５】ショッピングシステムの動作例を示すシーケンス図である。
【図６】ショッピングサーバの条件判定処理時の動作例を示すフローチャートである。
【図７】ユーザ端末における会計ページ表示時の画面例である。
【発明を実施するための形態】
【００１９】
以下、図面を参照して本発明の実施形態について説明する。なお、以下に説明する実施の形態は、ショッピングシステムに対して本発明を適用した場合の実施形態である。
【００２０】
［１．ショッピングシステムの構成］
先ず、図１を用いて本発明の一実施形態に係るショッピングシステムＳの構成について説明する。
【００２１】
図１に示すように、ショッピングシステムＳは、ショッピングサーバ１（「商品購入支援装置」の一例）と、ユーザ端末２（「端末」の一例）と、を含んで構成されている。なお、図１の例では、説明の便宜上、一つのユーザ端末２を示しているが、実際には多数のユーザ端末２からショッピングサーバ１にアクセス可能となっている。
【００２２】
ショッピングサーバ１とユーザ端末２とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２３】
ショッピングサーバ１は、複数の店舗が参加するショッピングサイトを運営するために設置されるサーバであり、ユーザ端末２から商品の注文を受け付け、ユーザ端末２のユーザと店舗との間で売買契約を成立させるための処理を行うようになっている。
【００２４】
ユーザ端末２は、Ｗｅｂブラウザ機能を有し、ショッピングサーバ１に例えばＨＴＴＰ（Hyper Text Transfer Protocol）リクエストを送信してそのレスポンスとしてＷｅｂページ等を取得し、表示部に表示するようになっている。これにより、ユーザ端末２のユーザは、ショッピングサイトから提供される情報を閲覧することができる。なお、ユーザ端末２の一例として、ユーザが利用するコンピュータ、ＰＤＡ（Personal Digital Assistant）、携帯電話機等がある。
【００２５】
［２．ショッピングサーバ１の構成］
次に、ショッピングサーバ１の構成について、図２及び図３を用いて説明する。
【００２６】
図２に示すように、ショッピングサーバ１は、大別して、通信部１１と、記憶部１２と、システム制御部１３と、を備えている。
【００２７】
通信部１１は、ネットワークＮＷに接続して、ユーザ端末２との通信状態を制御するようになっている。
【００２８】
記憶部１２は、例えば、ハードディスクドライブ等により構成されており、オペレーティングシステムや、サーバ用のソフトウェア等の各種ソフトウェアを記憶する。なお、各種ソフトウェアは、例えば、他のサーバ装置等からネットワークＮＷを介して取得されるようにしても良いし、記録媒体に記録されてドライブ装置を介して読み込まれるようにしても良い。
【００２９】
また、記憶部１２には、ユーザ端末２に送信されるＷｅｂページを生成するための各種ＨＴＭＬ（Hyper Text Markup Language）文書や、部材（画像データ、音声データ、動画データなど）等が記憶されている。ユーザ端末２に送信されるＷｅｂページには、後述するショッピングサイトのトップページ、商品検索ページ、検索結果ページ、個別商品ページ、店舗内商品一覧ページ、会計ページ、注文内容確認ページ等がある。
【００３０】
また、記憶部１２には、会員データベース（ＤＢ（Database））１２１、店舗ＤＢ１２２、商品ＤＢ１２３、購入履歴ＤＢ１２４及び特典ＤＢ１２５が構築されている。なお、購入履歴ＤＢ１２４は、「記憶手段」の一例である。また、特典ＤＢ１２５は、「特典情報保持手段」の一例である。
【００３１】
図３（Ａ）に示す会員ＤＢ１２１には、ショッピングサイトに会員登録された会員（ショッピングサイトの利用者であり、ユーザ端末２を用いて商品を購入するユーザ）の会員ＩＤ、認証パスワード、メールアドレス、及び保有ポイント等の会員情報が登録されている。ここで、保有ポイントとは、ショッピングサイトで商品を購入したユーザに対して、購入金額等に応じて付与されるポイントである。ユーザはショッピングサイトにおいて、保有ポイントを使って商品を購入することができる。
【００３２】
図３（Ｂ）に示す店舗ＤＢ１２２には、ショッピングサイトに登録された店舗（商品を販売する店舗）の店舗ＩＤ、名称、受諾可能な支払方法及び受諾可能な発送方法等の店舗情報が登録されている。
【００３３】
図３（Ｃ）に示す商品ＤＢ１２３には、ショッピングサイトで販売される商品の商品ＩＤ、名称、販売価格及びジャンル等の商品情報が登録されている。
【００３４】
図３（Ｄ）に示す購入履歴ＤＢ１２４には、ユーザがショッピングサイトを利用して商品を購入した際の購入履歴情報が登録されている。具体的には、購入履歴ＩＤ毎に、商品を購入したユーザの会員ＩＤ、購入日時、購入店舗ＩＤ、購入商品ＩＤ、注文数量、及び購入金額等が登録されている。
【００３５】
図３（Ｅ）に示す特典ＤＢ１２５には、ショッピングサイトにてユーザに付与される特典の特典ＩＤ、適用期間、適用条件、特典内容、提示条件等の特典情報が登録されている。特典は、適用条件が満足された場合に付与される。提示条件とは、適用条件をユーザに提示するために満足されるべき条件であって、適用条件が満足されるまでの過程で満足される条件である。提示条件が満足され、且つ、適用条件が満足されていない場合には、対応する特典の適用条件がユーザに提示されることとなる。
【００３６】
図４を用いて特典ＤＢ１２５に登録されている特典情報の具体例について説明する。図４における特典ＩＤ「CMP001」で識別される特典は、2010年6月1日〜2010年6月30日の適用期間内に、同一店舗での１回の買い物（一の精算手続）における購入合計金額が2000円以上であることという適用条件を満足すれば、その回の買い物で購入された商品の送料を無料とする特典である。また、特典ＩＤ「CMP001」で識別される特典について、同一店舗での１回の買い物における購入合計金額が1500円以上であることという提示条件が満足された場合であって、且つ、同一店舗での１回の買い物における購入合計金額が2000円以上であることという適用条件が満足されていない場合には、当該特典の存在をユーザに知らせるために適用条件と特典内容とがユーザに提示されるようになっている。
【００３７】
本実施形態において特典の提示条件及び適用条件について判定する場合には、買い物かごに登録された商品を購入商品として判定する。例えば、特典ＩＤ「CMP001」で識別される特典の場合、買い物かごに登録された商品の購入合計金額が1500円以上である場合には提示条件を満足していると判定する。一方、買い物かごに登録された商品の購入合計金額が2000円以上である場合には適用条件を満足していると判定する。なお、本実施形態における買い物かごとは、電子商取引におけるいわゆる買い物かごであって、ユーザにより指定された購入予定商品が登録される。本実施形態において同一ユーザにより同一店舗で購入される商品は同一の買い物かごに登録されるが、同一ユーザにより複数店舗で購入される商品が同一の買い物かごに登録されるようにしても良い。
【００３８】
一方、特典ＩＤ「CMP002」で識別される特典は、適用期間（2010年5月1日〜2010年7月31日）を通してＤＶＤを３枚以上購入することという適用条件を満足すれば、適用期間中に購入されたＤＶＤについて付与するポイントを５倍にするという特典である。また、特典ＩＤ「CMP002」で識別される特典について、適用期間を通してＤＶＤを２枚以上購入することという提示条件が満足された場合であって、且つ、適用期間を通してＤＶＤを３枚以上購入することという適用条件が満足されていない場合には、当該特典の存在をユーザに知らせるために適用条件と特典内容とがユーザに提示されるようになっている。
【００３９】
特典ＩＤ「CMP002」で識別される特典の提示条件及び適用条件について判定する場合には、買い物かごに登録された商品と、購入履歴ＤＢ１２４に登録されている購入履歴情報とに基づいて判定する。具体的には、買い物かごに登録されたＤＶＤの枚数と、同一ユーザが適用期間中に購入済みであるＤＶＤの枚数の合計が２枚以上である場合には提示条件を満足していると判定する。一方、買い物かごに登録されたＤＶＤの枚数と、同一ユーザが適用期間中に購入済みであるＤＶＤの枚数の合計が３枚以上である場合には適用条件を満足していると判定する。
【００４０】
また、記憶部１２には図示しない商品検索用ＤＢが構築されており、商品検索用ＤＢは、システム制御部１３が、ユーザの指定した検索条件に基づいてショッピングサイト内で販売されている商品を検索する際に利用される。
【００４１】
システム制御部１３は、ＣＰＵ（Central Processing Unit）１３ａ、ＲＯＭ（Read Only Memory）１３ｂ、ＲＡＭ（Random Access Memory）１３ｃ等により構成されている。そして、ＣＰＵ１３ａが、ＲＯＭ１３ｂや記憶部１２に記憶された各種プログラムを読み出し実行することにより各種機能を実現する。なお、システム制御部１３は、「判定手段」、「提供手段」の一例である。
【００４２】
なお、ショッピングサーバ１を、例えば、各種データベースを管理するサーバ、商品の検索処理を行う検索処理サーバ、各種情報を提供するＷＷＷサーバ等の複数のサーバ装置により構成しても良い。
【００４３】
［３．ユーザ端末２の構成］
ユーザ端末２は、図示しないが、例えば、ＣＰＵ、ＲＡＭ、ＲＯＭ等を有するシステム制御部と、例えばハードディスクドライブ等の記憶媒体で構成される記憶部と、ショッピングサーバ１等との間で通信を行うための通信部と、ユーザにより操作される操作部と、ショッピングサーバ１から提供されたＷｅｂページを表示する表示部と、を備えている。
【００４４】
［４．ショッピングシステムＳの商品購入時における動作］
次に、本発明の一実施形態に係るショッピングシステムＳの商品購入時における動作について説明する。
【００４５】
図５に示すシーケンス図を用いて、ショッピングシステムＳの動作について説明する。なお、ここでは、説明を簡略化するために、一のユーザ端末２のみがショッピングサイトにアクセスしている場合について説明する。また、シーケンス図に示す処理が開始する前に、ユーザ端末２は、ショッピングサイトにアクセスし、ショッピングサイトのトップページ（図示しない）を表示部に表示しているものとする。
【００４６】
まず、ユーザ端末２のシステム制御部は、会員ＩＤと認証パスワードをショッピングサーバ１に送信するための操作を検出すると、入力された会員ＩＤと認証パスワードを含むログイン情報をショッピングサーバ１に送信する（ステップＳ１０１）。
【００４７】
ショッピングサーバ１のシステム制御部１３は、ログイン情報を受信すると、ログイン処理を行う（ステップＳ１０２）。具体的には、システム制御部１３は、受信したログイン情報に含まれる会員ＩＤ及び認証パスワードと、会員ＤＢ１２１に登録されている会員ＩＤ及び認証パスワードを比較することにより行う。システム制御部１３は、ログイン処理に問題がないと判定した場合には、ユーザが商品を検索するための検索条件を入力することができる商品検索ページをユーザ端末２に送信する（ステップＳ１０３）。
【００４８】
ユーザ端末２のシステム制御部は、商品検索ページを受信すると表示部に表示させる（ステップＳ１０４）。商品検索ページは、商品を検索するための検索キーワード等の検索条件を入力することができるようになっている。ユーザ端末２のシステム制御部は、商品検索ページにおいて商品を検索するための検索条件の入力を受け付け、検索条件の入力が完了したと判定すると、入力された検索条件を示す検索条件情報をショッピングサーバ１に送信する（ステップＳ１０５）。
【００４９】
ショッピングサーバ１のシステム制御部１３は、検索条件情報を受信すると検索条件を満たす商品を検索する検索処理を行う（ステップＳ１０６）。この検索処理は、商品検索用ＤＢを用いた公知の検索技術により行われる。
【００５０】
次いで、ショッピングサーバ１のシステム制御部１３は、検索結果を表示させるための検索結果ページをユーザ端末２に送信する（ステップＳ１０７）。これに対して、ユーザ端末２のシステム制御部は、受信した検索結果ページを表示部に表示させる（ステップＳ１０８）。検索結果ページには、検索条件に基づいて検索された商品の一覧が表示される。具体的には、検索された商品毎に代表商品画像、商品名、メーカー名、商品説明、商品価格、店舗名等の商品情報が表示される。これらの商品情報は、それぞれハイパーリンクになっており、クリックされることにより、該当商品に関する詳細な情報を表示する個別商品ページ（図示しない）に遷移するようになっている。
【００５１】
ユーザ端末２のシステム制御部は、検索結果ページを表示させている際に、ユーザにより個別商品ページ表示操作（上述したハイパーリンクをクリックする操作）が行われたと判定すると、操作対象となった商品を識別するための操作商品情報を含む個別商品ページリクエストをショッピングサーバ１に送信する（ステップＳ１０９）。
【００５２】
ショッピングサーバ１のシステム制御部１３は、個別商品ページリクエストを受信すると、個別商品ページリクエストに含まれる操作商品情報に基づいて、ユーザにクリックされた商品に対応する個別商品ページをユーザ端末２に送信する（ステップＳ１１０）。これに対して、ユーザ端末２のシステム制御部は、個別商品ページを受信すると表示部に表示させる（ステップＳ１１１）。個別商品ページには、商品画像、商品の詳細情報、店舗に関する詳細情報（支払方法、発送方法等）などが表示される。また、個別商品ページには、購入数量を入力するための購入数量入力部と、買い物かごボタンが設けられている。ユーザは、個別商品ページが表示されている場合に、購入数量（注文数量）を購入数量入力部より入力した上で、買い物かごボタンをクリックすることで、個別商品ページに表示されている商品を買い物かごに登録することができる。
【００５３】
ユーザ端末２のシステム制御部は、個別商品ページを表示させている際に、ユーザにより買い物かごボタンをクリックする操作が行われたと判定すると、買い物かごに登録する商品（個別商品ページにて表示されている商品）の商品ＩＤと、当該商品を販売する店舗の店舗ＩＤと、購入数量を示す購入数量情報とを含む買い物かご登録情報をショッピングサーバ１に送信する（ステップＳ１１２）。
【００５４】
ショッピングサーバ１のシステム制御部１３は、買い物かご登録情報を受信すると、買い物かご登録処理を行う（ステップＳ１１３）。具体的には、システム制御部１３は、受信した買い物かご登録情報に含まれる商品ＩＤ、店舗ＩＤ及び購入数量情報を、ログインしているユーザの会員ＩＤと対応付けて、買い物かご情報として記憶部１２に記憶させる。次いで、システム制御部１３は、受信した買い物かご登録情報に含まれる店舗ＩＤに対応する店舗にて販売される商品の一覧を表示する店舗内商品一覧ページをユーザ端末２に送信する（ステップＳ１１４）。
【００５５】
ユーザ端末２のシステム制御部は、店舗内商品一覧ページを受信すると表示部に表示させる（ステップＳ１１５）。店舗内商品一覧ページには、商品毎に、代表商品画像、商品名、商品価格等の商品情報が表示される。これらの商品情報は、それぞれハイパーリンクになっており、ユーザにクリックされることにより、該当商品に関する詳細な情報を表示する個別商品ページ（図示しない）に遷移するようになっている。また、店舗内商品一覧ページには、買い物かごに登録した商品について会計を行う際に押下されるべき会計ボタンが設けられている。
【００５６】
ユーザ端末２のシステム制御部は、店舗内商品一覧ページを表示させている際に、ユーザにより個別商品ページ表示操作（店舗内商品一覧ページ内の上述したハイパーリンクをクリックする操作）が行われたと判定すると、操作対象となった商品を識別するための操作商品情報を含む個別商品ページリクエストをショッピングサーバ１に送信する（ステップＳ１０９）。すなわち、ショッピングシステムＳでは、店舗内商品一覧ページを表示させている際に、個別商品ページ表示操作が行われた場合には、上述したステップＳ１０９からステップＳ１１５の処理と同様の処理が繰り返される。
【００５７】
一方、ユーザ端末２のシステム制御部は、店舗内商品一覧ページを表示させている際に、会計ボタンが押下されたと判定すると、会計リクエストをショッピングサーバ１に送信する（ステップＳ１１６）。
【００５８】
ショッピングサーバ１のシステム制御部１３は、会計リクエストを受信すると、条件判定処理を行う（ステップＳ１１７）。具体的には、システム制御部１３は、ユーザが選択した商品に関する選択商品情報に基づいて、特典ＤＢ１２５に登録されている各提示条件が満足されているか否かを判定するとともに、提示条件を満足している特典がある場合には、その特典の適用条件を満足しているか否かを判定する。すなわち、システム制御部１３は、提示条件を満足しており、且つ、適用条件を満足していない特典を抽出する。なお。ユーザが選択した商品に関する選択商品情報とは、例えば、買い物かごに登録されている商品を示す買い物かご情報（ステップＳ１１３参照）と、購入履歴ＤＢ１２４に登録されている購入履歴情報（過去にユーザが買い物かごに登録し購入した商品に関する情報が含まれる）である。
【００５９】
ここで、図６で示すフローチャートを用いて、条件判定処理の流れについて説明する。まずシステム制御部１３は、特典ＤＢ１２５に登録されている特典情報を１件読み込む（ステップＳ２０１）。そして、システム制御部１３は、適用期間の条件（ステップＳ２０２）、提示条件（ステップＳ２０３）、及び適用条件（ステップＳ２０３）について、それぞれ満足しているか否かを判定する。このとき、システム制御部１３は、適用期間の条件及び提示条件を満足し、且つ、提示条件を満足していないと判定した場合に、当該特典情報を抽出し（ステップＳ２０５）、ステップＳ２０６に移行する。一方、それ以外の場合には、そのままステップＳ２０６に移行する。以降、システム制御部１３は、特典ＤＢ１２５に登録されている特典情報を全件読み込むまで、ステップＳ２０１からステップＳ２０５の処理を繰り返す（ステップＳ２０６）。
【００６０】
次に、図４で示した特典ＩＤ「CMP001」と「CMP002」の２つの特典について、それぞれ適用期間の条件を満足していると判定した場合（ステップＳ２０２：ＹＥＳ）における提示条件及び適用条件の判定について説明する。
【００６１】
システム制御部１３は、特典ＩＤ「CMP001」の特典について適用期間の条件を満足していると判定した場合には、次いで、提示条件を判定する。買い物かご情報に基づいて、買い物かごに登録された商品の購入合計金額が1500円以上であるか、という提示条件が満足されていると判定した場合には、次いで、買い物かごに登録された商品の購入合計金額が2000円以上であるか、という適用条件について判定する。適用条件が満足されていないと判定した場合には、特典ＩＤ「CMP001」の適用条件と特典内容がユーザに提示されることとなる。
【００６２】
一方、システム制御部１３は、特典ＩＤ「CMP002」の特典について提示条件及び適用条件を判定するにあたり、まず、ログインしているユーザの会員ＩＤに基づいて、購入履歴ＤＢ１２４から購入履歴情報を取得する。このとき、購入日時が適用期間内である購入履歴情報を取得する。そして、買い物かご情報と、取得した購入履歴情報とに基づいて、提示条件及び適用条件を満足しているか判定する。すなわち、システム制御部１３は、買い物かごに登録されたＤＶＤの枚数と、購入済みであるＤＶＤの枚数の合計が２枚以上であるか、という提示条件について判定する。このとき、提示条件が満足されていると判定した場合には、次いで、買い物かごに登録されたＤＶＤの枚数と、購入済みであるＤＶＤの枚数の合計が３枚以上であるか、という適用条件について判定する。このとき、適用条件が満足されていないと判定した場合には、当該特典の適用条件と特典内容をユーザに提示することとなる。
【００６３】
図５に戻り、次いで、ショッピングサーバ１のシステム制御部１３は、会計ページをユーザ端末２に送信する（ステップＳ１１８）。なお、システム制御部１３は、条件判定処理（ステップＳ１１７）において、提示条件を満足しており、且つ、適用条件を満足していない特典を抽出した場合には、その特典の適用条件と特典内容をページの一部の領域に表示する会計ページを生成し、ユーザ端末２に送信する。これに対して、ユーザ端末２のシステム制御部は、会計ページを受信すると表示部に表示させる（ステップＳ１１９）。
【００６４】
ここで、特典ＩＤ「CMP001」で識別される特典に対応する提示条件が満足され、且つ、適用条件が満足されていないと判定された場合における会計ページの表示例を、図７を用いて説明する。図７に示すように、会計ページ３００には提示情報表示エリア３１０が設けられている。提示情報表示エリア３１０には、特典ＩＤ「CMP001」で識別される特典の適用条件と特典内容とが表示される。また、提示情報表示エリア３１０には、適用条件を満足させるための情報が表示される。図７の例では、１１０円分の商品を更に購入すれば適用条件を満足することを示す情報が表示されている。なお、特典ＩＤ「CMP002」で識別される特典の適用条件と特典内容とを表示する場合には提示情報表示エリア３１０に、例えば、「適用期間（2010年5月1日〜2010年7月31日）を通してＤＶＤを３枚以上購入でポイント５倍。あと１枚以上ＤＶＤを購入すればポイント５倍」と、表示される。また、複数種類の特典について、提示条件を満足しており、且つ、適用条件を満足していないと判定した場合には、それら全ての特典について適用条件と特典内容を表示することとしてもよいし、それらの一部の特典について適用条件と特典内容を表示することとしてもよい。なお、ショッピングサーバ１のシステム制御部１３は、条件判定処理（ステップＳ１１７）において、提示条件が満足され、且つ、適用条件が満足されていない特典を抽出しなかった場合には、会計ページ３００に提示情報表示エリア３１０を設けない。
【００６５】
また、会計ページ３００には、会計情報表示エリア３２０が設けられている。会計情報表示エリア３２０には、買い物かごに登録された各商品の名称、単価（販売価格）、購入（注文）数量及び小計と、買い物かごに登録された商品の購入合計金額とが表示される。
【００６６】
さらに、会計ページ３００には、ユーザに支払方法を選択させるための各種ラジオボタン３３０、３４０、３５０と、配送方法を選択させるための配送方法選択部３６１と、配送希望日を選択させるための配送希望日選択部３６２と、配送希望時間を選択させるための配送希望時間選択部３６３と、が設けられている。ラジオボタンとしては、クレジットカード決済ラジオボタン３３０、銀行振込ラジオボタン３４０、代金引換ラジオボタン３５０が設けられている。また、クレジットカード決済ラジオボタン３３０が選択された場合に、クレジットカード情報（カード会社、カード番号、有効期限、名義人）を入力させるためのクレジットカード情報入力部３３１が設けられている。
【００６７】
さらにまた、会計ページ３００には、「店舗商品一覧へ」ボタン３７０と、「次へ」ボタン３８０と、が設けられている。ユーザ端末２のシステム制御部は、ユーザにより「店舗商品一覧へ」ボタン３７０がクリックされたと判定すると、店舗商品一覧ページリクエストをショッピングサーバ１に送信することにより、上述した店舗商品一覧ページを受信して表示部に表示させる。これにより、ユーザは同一店舗で販売されている商品を更に買い物かごに登録することできる。一方、ユーザ端末２のシステム制御部は、ユーザにより「次へ」ボタン３８０がクリックされたと判定すると、会計ページ３００においてユーザにより入力された情報（支払方法を示す情報、配送方法を示す情報、配送希望日を示す情報、配送希望時間を示す情報、支払方法がクレジットカード決済である場合におけるクレジットカード情報）を含む会計情報を、ショッピングサーバ１に送信する（ステップＳ１２０）。
【００６８】
ショッピングサーバ１のシステム制御部１３は、会計情報を受信すると会計情報を記憶部１２に記憶させるとともに、注文内容に間違いがないかをユーザに確認してもらうための注文内容確認ページをユーザ端末２に送信する（ステップＳ１２１）。ユーザ端末２のシステム制御部は、注文内容確認ページを受信すると表示部に表示させる（ステップＳ１２２）。注文内容確認画面は、ユーザが注文した内容（購入商品、購入数量、支払方法、配送方法、配送希望日、配送希望日時等）を確認できるようになっている。また、注文内容確認ページには確認ボタンが設けられており、ユーザは、注文内容に誤りがなければ確認ボタンをクリックするようになっている。ユーザ端末２のシステム制御部は、確認ボタンがクリックされたと判定すると、ユーザが注文内容を確認した旨を示す確認情報をショッピングサーバ１に送信する（ステップＳ１２３）。
【００６９】
ショッピングサーバ１のシステム制御部１３は、確認情報を受信すると、購入確定処理を行う（ステップＳ１２４）。具体的には、買い物かご情報、会計情報を受信した際に記憶部１２に記憶させた会計情報に含まれる情報、販売店舗の店舗ＩＤ、商品を購入したユーザの会員ＩＤ、現在日時（現在日時の取得方法は任意）等に基づいて、購入履歴情報を作成し、購入履歴ＤＢ１２４に登録する。
【００７０】
［５．提示条件の設定について］
次に、適用条件及び提示条件として少なくとも購入商品の合計金額に関する条件が設定される場合における、提示条件の設定の仕方について説明する。少なくとも購入商品の合計金額に関する条件が設定される適用条件及び提示条件としては、例えば、「購入合計金額が第一の所定額（例えば2000円）以上であること」というような適用条件と、「購入合計金額が第二の所定額（例えば1500円）以上であること」というような提示条件が考えられる。または、「購入合計金額が第一の所定額（例えば5000円）以上であって、商品Ａを購入すること」というような適用条件と、「購入合計金額が第二の所定額（例えば3500円）以上であって、商品Ａを購入すること」というような提示条件が考えられる。なお、提示条件は、上述したように、適用条件が満足されるまでの過程で満足される条件であることから、提示条件における購入商品の合計金額に関する条件については、適用条件における購入商品の合計金額に関する条件よりも、購入商品の合計金額が低額になる。適用条件について第一の所定額が設定されている場合における、第二の所定額の設定の仕方については、第二の所定額を、第一の所定額の所定割合（例えば７５％）とすることとしてもよいし、第一の所定額から所定額（例えば300円）を減算した額とすることとしてもよい。
【００７１】
また、適用条件及び提示条件として少なくとも購入商品の合計金額に関する条件が設定される場合に、提示条件における購入商品の合計金額に関する条件を、適用条件およびユーザの購入履歴情報に基づいて設定することとしてもよい。具体的には、提示条件における購入商品の合計金額に関する条件を、適用条件と、ログインしているユーザ（すなわち、商品を購入するユーザ）の購入履歴情報に応じて、動的に設定することとができる。より具体的には、条件判定処理（図５のステップＳ１１７の処理）を行う前までに、ショッピングサーバ１のシステム制御部１３が、ログインしているユーザの会員ＩＤに基づいて購入履歴ＤＢ１２４から購入履歴情報を取得し、購入履歴情報に基づいて提示条件における購入商品の合計金額に関する条件を設定することができる。例えば、購入履歴情報に基づいて、当該ユーザが過去に購入した商品の平均金額を算出し、算出した平均金額に基づいて提示条件における購入商品の合計金額に関する条件を設定する。また、平均値（平均金額）の代わりに中央値又は最頻値を算出し、算出した中央値又は最頻値に基づいて提示条件における購入商品の合計金額に関する条件を設定してもよい。例えば、上述した第二の所定額を設定する際に、第一の所定額から算出した平均値（平均金額）、中央値又は最頻値を減算した額を第二の所定額とすることとしてもよい。このように提示条件における購入商品の合計金額に関する条件を設定することにより、提示条件をユーザの購入履歴に基づいて変化させることができる。また、算出した平均値（平均金額）、中央値又は最頻値を、第一の所定額から減算した額を第二の所定額とした場合には、ユーザが普段の購買行動に従って商品を一つ追加購入することで適用条件が満足されると推察される場合に、適用条件を提示することができる。
【００７２】
次に、例えば、「商品Ａ、商品Ｂ及び商品Ｃを同時購入すること」というような適用条件が設定されている場合における提示条件の設定の仕方について説明する。この場合も、ログインしているユーザの購入履歴情報に基づいて提示条件を設定することができる。例えば、購入履歴情報に基づいてユーザが購入したことのある商品（或いは、定期的に繰り返し購入されている商品など）を特定し、当該特定した商品が商品Ａ、商品Ｂ又は商品Ｃの何れかであるか判定する。そして、特定した商品が商品Ａ、商品Ｂ又は商品Ｃの何れかであると判定した場合には、商品Ａ、商品Ｂ及び商品Ｃの中から当該特定した商品を除いた商品を購入すること（買い物かごに登録すること）を提示条件として設定する。すなわち、ユーザが商品Ｃを購入したことがある場合には、「商品Ａ及び商品Ｂを購入すること（買い物かごに登録されること）」を提示条件として設定する。このようにした場合、提示条件をユーザの購入履歴に基づいて変化させることができるとともに、ユーザが過去に購入したことのある商品を追加購入することで特典適用条件が満足される場合に、特典適用条件を提示することができる。
【００７３】
以上説明したように、本実施形態のショッピングサーバ１は、記憶部１２が、ユーザが選択した商品に関する選択商品情報を記憶し、記憶部１２に構築された特典ＤＢ１２５がショッピングサイトにてユーザに付与される特典の適用条件（「特典適用条件」の一例）と提示条件（「過程条件」の一例）を保持し、システム制御部１３が、選択商品情報に基づいて、適用条件と提示条件とがそれぞれ満足されるか否かを判定し、提示条件が満足され、且つ、適用条件が満足されないと判定した場合に、適用条件をユーザに提示するための会計ページ（「提示情報」の一例）をユーザ端末２に提供する。
【００７４】
本実施形態のショッピングサーバ１によれば、特典の適用条件が満足される途中の段階まで購入状況が進展している場合に、当該特典の適用条件がユーザに提示される。したがって、ユーザが更に数品の商品を購入することで適用される特典の適用条件をユーザに把握させることができることから、ユーザが当該特典を見逃してしまう可能性を低減させることができるとともに、当該特典が適用された場合のユーザの満足度を高めることができる。更に、適用条件を満足させようとユーザが商品を購入することから、商品を販売する店舗の売り上げを向上させることができる。
【００７５】
また、本実施形態のショッピングサーバ１において、選択商品情報は買い物かご情報を含み、システム制御部１３は、購入が完了する前に、適用条件を提示する会計ページ（「提示情報」の一例）をユーザ端末２に提供する。これにより、ユーザが買い物かごに登録した商品に関する特典を見逃してしまう可能性を低減させることができる。
【００７６】
また、本実施形態のショッピングサーバ１において、選択商品情報は購入履歴情報（「履歴情報」の一例）を含み、システム制御部１３は、購入履歴情報に基づいて、提示条件及び適用条件を判定する。これにより、ユーザが過去に購入した商品に基づいて適用される特典を見逃してしまう可能性を低減させることができる。
【００７７】
また、本実施形態のショッピングサーバ１において、特典ＤＢ１２５が特典ごとに、特典が適用される適用期間をさらに保持し、システム制御部１３は、適用期間内にユーザが購入した商品に関する購入履歴情報に基づいて提示条件及び適用条件を判定する。例えば、特典ＩＤ「CMP002」で識別される特典に対応する適用条件及び提示条件は、適用期間内にユーザが購入した商品に関する購入履歴情報に基づいて、それぞれ満足されるか否か判定される。これにより、適用期間内になされた商品購入により適用される特典をユーザが見逃してしまう可能性を低減させることができる。
【００７８】
また、本実施形態のショッピングサーバ１において、特典ＩＤ「CMP001」で識別される特典の適用条件および過程条件は、購入商品の合計金額について設定されており、過程条件は、上述したように適用条件およびユーザの購入履歴情報に基づいて設定することができる。この場合、提示条件をユーザの購入履歴情報に基づいて変化させることができる。
【００７９】
また、上述したように、例えば、適用条件を、予め定められた複数種類の特定商品（例えば、商品Ａ、商品Ｂ、商品Ｃ）を全種類購入することとし、提示条件を、その複数種類の特定商品のうち少なくとも一部の種類の特定商品（例えば、商品Ａ、商品Ｂ）が買い物かごに登録されており、且つ、その他の種類の特定商品（例えば、商品Ｃ）が、購入履歴情報に基づいて導出される、買い物中のユーザが過去に購入したことのある商品と一致していること、とすることもできる。この場合、提示条件をユーザの購入履歴情報に基づいて変化させることができるとともに、ユーザが過去に購入したことのある商品を追加購入することで適用条件が満足される場合に、適用条件を提示することができる。
【００８０】
なお、本実施形態においては、ユーザにより店舗内商品一覧ページにおける会計ボタンがクリックされた後に、ショッピングサーバ１のシステム制御部１３が、条件判定処理（図５のステップＳ１１７）を行い、提示条件を満足しており、且つ、適用条件を満足していない特典があると判定した場合に、当該特典の適用条件及び特典内容を会計ページ３００の提示情報表示エリア３１０に表示させている。しかしながら、提示条件及び適用条件を判定するタイミングと、これに伴う特典の適用条件及び特典内容をユーザに提示するタイミングは、本実施形態において説明したタイミングに限られず、ユーザがショッピングサイトにログインしてから、注文内容確認ページの確認ボタンをクリックされるまでの間であればよい。
【００８１】
例えば、システム制御部１３は、特典ＩＤ「CMP002」で識別される特典のように、買い物かごに商品が登録されていない状況でも提示条件を満足する可能性のある特典が存在する場合には、ログイン処理時（図５のステップＳ１０２）に、購入履歴情報に基づいて提示条件及び適用条件のそれぞれを判定し、提示条件を満足しており、且つ、適用条件を満足していないと判定した場合（例えば、特典ＩＤ「CMP002」で識別される特典が存在し、適用期間を通してＤＶＤを２枚購入済みの場合）には、ステップＳ１０３の処理で送信する商品検索ページを加工し、商品検索ページにおける何れかの領域に当該特典の適用条件及び特典内容を表示させるようにしてもよい（このように加工した商品検索ページは、「提示情報」の一例）。この場合、ユーザはログイン処理後、すぐに、適用条件を途中の段階まで満足している特典の適用条件を把握することができる。
【００８２】
また、システム制御部１３は、買い物かご登録処理（図５のステップＳ１１３）を行う度に条件判定処理を行うこととし、提示条件を満足しており、且つ、適用条件を満足していないと判定した特典が存在する場合には、ステップＳ１１４の処理で送信する店舗内商品一覧ページを加工し、店舗内商品一覧ページにおける何れかの領域に当該特典の適用条件及び特典内容を表示させることとしてもよい（このように加工した店舗内商品一覧ページは、「提示情報」の一例）。この場合、ユーザは随時、適用条件を途中の段階まで満足している特典の適用条件を把握することができる。
【００８３】
また一方で、ショッピングサーバ１のシステム制御部１３は、特典の適用条件をユーザに提示するための商品検索ページ、店舗内商品一覧ページ又は会計ページ（「提示情報」の一例）をユーザ端末２に提供後に適用条件が満足されると判定された場合に、当該特典の適用条件をユーザに提示するための商品検索ページ、店舗内商品一覧ページ又は会計ページ（「提示情報」の一例）をユーザ端末２に提供しないこととしてもよいし、表示態様を変更することとしてもよい。前者によれば、ユーザに提示した特典の適用条件を満足することとなった場合には、当該特典の適用条件を提示しなくなることから、ユーザは商品購入に集中することができる。後者によれば、当該特典の適用条件を満足したことを、ユーザに知らせることが可能となる。
【００８４】
また、会計ページ３００の提示情報表示エリア３１０に適用条件を満足させるための情報を表示する場合において、当該適用条件を満足させるために追加購入すべき商品の一覧を会計ページ３００内の何れかの領域に表示することとしてもよい。例えば、図７の例では、１１０円分の商品を更に購入すれば適用条件を満足することとなるので、同一店舗で販売される商品であって、価格が１１０円以上である商品の一覧を表示することとする。また、価格が１１０円以上である商品の一覧を表示するにあたり、ユーザが購入したことのある商品、ユーザが閲覧したことのある商品、ユーザがお気に入り商品として登録した商品を表示することとしてもよい。さらにまた、適用条件に同一店舗での購入が条件に含まれていない場合には、ユーザがお気に入り店舗として登録した店舗で販売されている商品を表示することとしてもよい。これらの場合、ユーザが閲覧した商品の履歴や、ユーザが指定したお気に入りの商品又は店舗をユーザ毎に記憶部１２等に記憶させておくものとする。商品の一覧を表示するときには、商品毎に買い物かごボタンを設け、ユーザが会計ページ３００から商品を買い物かごに追加登録できるようにするのが好ましい。このようにすることにより、ユーザは商品一覧の中から所望の商品を買い物かごに追加登録することで、容易に適用条件を満足させることができる。
【符号の説明】
【００８５】
１  ショッピングサーバ
１１  ショッピングサーバ／通信部
１２  ショッピングサーバ／記憶部
１３  ショッピングサーバ／システム制御部
１２１  会員ＤＢ
１２２  店舗ＤＢ
１２３  商品ＤＢ
１２４  購入履歴ＤＢ
１２５  特典ＤＢ
２  ユーザ端末
ＮＷ  ネットワーク
Ｓ  ショッピングシステム
【図１】
2012014404.tif 000003
【図２】
2012014404.tif 000004
【図３】
2012014404.tif 000005
【図４】
2012014404.tif 000006
【図５】
2012014404.tif 000007
【図６】
2012014404.tif 000008
【図７】
2012014404.tif 000009